(57)【特許請求の範囲】
【請求項１】
レーザー光を出射するレーザー素子と、
前記レーザー素子から到達したレーザー光を略平行な光束に変換する第１のレンズと、
前記第１のレンズから到達したレーザー光を反射する反射部材と、
前記反射部材で反射されたレーザー光を集光する第２のレンズと、を備え、
前記反射部材が、前記レーザー素子から前記第１のレンズまでの光学系の合成焦点位置の近傍に配置された光ピックアップにおいて、
前記第２レンズの中心軸に対する前記レーザー素子から出射されたレーザー光の強度分布中心軸の傾きを調整する方法であって、
前記レーザー素子位置を前記レーザー素子から出射されるレーザー光の出射方向と垂直な方向に位置調整することを特徴とする光ピックアップの調整方法。
【請求項２】
波長の異なるレーザー光を各々出射する複数のレーザー素子と、
前記複数のレーザー素子から到達したレーザー光を各々略平行な光束に変換する第１のレンズと、
前記第１のレンズから到達したレーザー光を反射する複数の反射部材と、
前記複数の反射部材で反射されたレーザー光を各々集光する複数の対物レンズと、を備え、
前記複数の反射部材が、前記複数のレーザー素子の各々から前記第１のレンズまでの光学系の各々の合成焦点位置の近傍に配置された光ピックアップにおいて、
前記各々の対物レンズの中心軸に対する前記各々のレーザー素子から出射された各々のレーザー光の強度分布中心軸の傾きを調整する方法であって、
前記各々のレーザー素子位置を前記各々のレーザー素子から出射される各々のレーザー光の出射方向と垂直な方向に位置調整することを特徴とする光ピックアップの調整方法。
【発明の詳細な説明】
【技術分野】
【０００１】
本発明は、光ディスク装置に備えられて情報の記録再生を行なう光ピックアップ及びその調整方法に関するものである。
【背景技術】
【０００２】
近年、情報機器で扱われるデータ量が飛躍的に増大しており、大量のデータを手軽に記録再生する情報機器として光ディスク装置が利用されようになってきている。光ディスク装置に備えられて光ディスク上に情報（データ）の記録再生を行なうのが光ピックアップであり、光ディスク装置の重要なデバイスの一つとなっている。特に最近では、ノート型パソコンが小型軽薄化しており、搭載される光ピックアップ自体も小型軽薄化が進んでいる。
【０００３】
光ピックアップは、レーザー素子、コリメーターレンズ、立ち上げミラー及び対物レンズ等の複数の光学部品で構成されているが、これらの光学部品自体も極めて小さくなってきていて、小さくなるほど部品寸法に対する取付け誤差の比率が増大し、取付け誤差による光学特性の悪化が無視できなくなってきている。
【０００４】
このような取付け誤差を小さくするために、光ピックアップの光学系の調整方法が数多く提案されているが、代表的な調整技術として、特許文献１に開示されたものがある。この技術は、対物レンズの中心軸に、レーザー素子から出射された光の強度分布（以下、ＦＦＰという。）の中心軸を一致させるようにする調整方法であり、そのＦＦＰ中心軸の傾きと位置ずれをそれぞれ調整するために、異なる２つの調整方法を併用するようになっている。
【０００５】
以下に、この従来の光ピックアップの調整方法について説明する。以下の説明では、光ピックアップの光学系の構成として、調整方法の説明に必要な構成部品だけに簡素化したものを図示し、必要とされる光学特性を得るためにレーザー素子から出射された光の強度分布を補正する手段や、フォーカシングやトラッキングなどのために必要な検出系の光学部品等を省いた構成を示している。
【０００６】
図６は、従来の光ピックアップの調整方法を示す光学系の側面図であり、１１はレーザー素子、１２はコリメーターレンズ、１３は立ち上げミラー、１４は対物レンズ、１５は光ディスク、１６はコリメーターレンズから立ち上げミラーまでの距離、１７はレーザー素子１１からコリメーターレンズ１２までの光学系の対物レンズ側合成焦点位置である。また、図６の破線は、立ち上げミラー１３に傾き誤差があった場合に、対物レンズ１４の中心軸に対する光のＦＦＰ中心軸の傾き調整を行った後のＦＦＰ中心軸の光路を示している。
【０００７】
図６に示すように、レーザー素子１１から出射された光は、コリメーターレンズ１２を通って収束されて平行光となり、立ち上げミラー１３により光ディスク１５のある図６の上方側に垂直に反射され、対物レンズ１４に入射し、集光されて光ディスク１５のデータ記録面上に微小な光スポットを当てる。
【０００８】
この従来の光ピックアップにおいては、立ち上げミラー１３の配置位置が、光学特性の向上や調整量の低減を考慮したものではなく、コリメーターレンズ１２から立ち上げミラー１３までの距離１６が、レイアウト設計の簡便性を優先した距離となっている。すなわち、立ち上げミラー１３の取付け誤差がない場合（設計通りの光学系に組立てられた場合）は、コリメーターレンズ１２から立ち上げミラー１３までの距離１６がどのような値であっても光学性能上の違いはないという観点で配置されている。
【０００９】
しかしながら、実際には、立ち上げミラー１３の取付け角は、設計値に対して誤差をもっている。従来の光ピックアップの立ち上げミラー１３は、垂直に光を立ち上げるためにコリメーターレンズ１２の中心軸に対して４５度の角度に傾斜させて取付けるように設計されているが、立ち上げミラー１３の傾き誤差が存在すると、光のＦＦＰ中心軸が対物レンズ１４の中心軸に一致せず、対物レンズ１４の中心軸に対して傾きや位置ずれを持って入射することになる。
【００１０】
この結果、対物レンズ１４を出て光ディスク１５上に集光される光スポットの位置ずれや収差残りによる記録特性の劣化や、再生のための検出系におけるＦＦＰ中心軸の位置ずれによる再生特性や制御精度の劣化が生じることになる。
【００１１】
このため従来の光ピックアップにおいては、光のＦＦＰ中心軸の対物レンズ１４の中心軸に対する傾きと位置ずれの調整が行なわれている。この調整は、レーザー素子１１から出射された光のＦＦＰ中心軸方向をＺ軸、紙面に垂直な方向をＹ軸、Ｚ軸に垂直で紙面に平行な方向をＸ軸として、光のＦＦＰ中心軸と対物レンズ１４の中心軸との間の傾き補正のために、レーザー素子１１のＸＹ位置調整を行うものである。
【００１２】
しかしながら、傾き補正を行っただけでは、光のＦＦＰ中心軸の対物レンズ中心軸に対するＸＹ位置ずれが残ってしまう。従って、更にＸＹ位置ずれ補正を行なうために、レーザー素子１１のＸ軸及びＹ軸回りの回転調整を行っている。この回転調整を施した結果、再びＦＦＰ中心軸と対物レンズ１４の中心軸との傾きが生じてしまうことになる。
【００１３】
このため傾き補正とＸＹ位置ずれ補正とを交互に行い、それぞれが必要とする光学特性が得られるようなずれ量の範囲内に収斂するまで補正を繰り返す必要がある。また、その他、立ち上げミラー１３や対物レンズ１４そのものを調整する方法も一般的に行なわれている。
【特許文献１】特開平７−２１０８７７号公報
【発明の開示】
【発明が解決しようとする課題】
【００１４】
上記の従来の光ピックアップの調整方法では、対物レンズ１４上の位置ずれ調整に伴い立ち上げミラー１３に入射する光の位置も変化してしまうため、立ち上げミラー１３自体の大きさを大きくしなければならない。ところが、光学系の小型薄型化が要求されるような複数の波長のレーザー素子からなる複合光学系やノート型パソコン用高密度記録光ピックアップ等においては、部品の大きさにレイアウト上の制約がある場合が多く、立ち上げミラー１３や対物レンズ１４の大きさをできるだけ小さくする必要があり、更に、極端な場合は、調整すら困難な場合もある。このような場合には、光学部品の取付け誤差が大きいと、光学特性を劣化させる大きな要因となる。
【００１５】
本発明は、上記に鑑みてなされたものであって、立ち上げミラーの傾き誤差による対物レンズ中心軸に対する光のＦＦＰ中心軸の傾きと位置ずれを、レーザー素子のＸＹ位置調整（レーザー光の出射方向と垂直な方向の位置調整）による調整のみで低減することのできる光ピックアップ及びその調整方法を得ることを目的とする。
【課題を解決するための手段】
【００１６】
上述した課題を解決し、目的を達成するために、本発明は、レーザー光を出射するレーザー素子と、レーザー素子から到達したレーザー光を略平行な光束に変換する第１のレンズと、第１のレンズから到達したレーザー光を反射する反射部材と、反射部材で反射されたレーザー光を集光する第２のレンズと、を備え、反射部材が、レーザー素子から第１のレンズまでの光学系の合成焦点位置の近傍に配置された光ピックアップにおいて、第２レンズの中心軸に対するレーザー素子から出射されたレーザー光の強度分布中心軸の傾きを調整する方法であって、レーザー素子位置をレーザー素子から出射されるレーザー光の出射方向と垂直な方向に位置調整することを特徴とする。
【発明の効果】
【００１７】
本発明にかかる光ピックアップは、立ち上げミラーの傾き誤差による、対物レンズ中心軸に対する光のＦＦＰ中心軸の傾きと位置ずれの両方を、レーザー素子のＸＹ位置調整（レーザー光の出射方向と垂直な方向の位置調整）のみで同時に低減することができる光ピックアップが得られるという効果を奏する。
【発明を実施するための最良の形態】
【００１８】
第１の発明は、レーザー光を出射するレーザー素子と、レーザー素子から到達したレーザー光を略平行な光束に変換する第１のレンズと、第１のレンズから到達したレーザー光を反射する反射部材と、反射部材で反射されたレーザー光を集光する第２のレンズと、を備え、反射部材が、レーザー素子から第１のレンズまでの光学系の合成焦点位置の近傍に配置された光ピックアップにおいて、第２レンズの中心軸に対するレーザー素子から出射されたレーザー光の強度分布中心軸の傾きを調整する方法であって、レーザー素子位置をレーザー素子から出射されるレーザー光の出射方向と垂直な方向に位置調整することを特徴とする。これにより、立ち上げミラーの取付け傾き誤差が存在する場合に、対物レンズ中心軸に対する光のＦＦＰ中心軸の調整を比較的容易に行なうことができる。
【００２１】
第２の発明は、波長の異なるレーザー光を各々出射する複数のレーザー素子と、複数のレーザー素子から到達したレーザー光を各々略平行な光束に変換する第１のレンズと、第１のレンズから到達したレーザー光を反射する複数の反射部材と、複数の反射部材で反射されたレーザー光を各々集光する複数の対物レンズと、を備え、複数の反射部材が、複数のレーザー素子の各々から第１のレンズまでの光学系の各々の合成焦点位置の近傍に配置された光ピックアップにおいて、各々の対物レンズの中心軸に対する各々のレーザー素子から出射された各々のレーザー光の強度分布中心軸の傾きを調整する方法であって、各々のレーザー素子位置を各々のレーザー素子から出射される各々のレーザー光の出射方向と垂直な方向に位置調整することを特徴とする。これにより、各々の立ち上げミラーの取り付け誤差が存在する場合に、各々の対物レンズ中心軸に対する各々のレーザー素子から出射された光のＦＦＰ中心軸の傾きと位置調整を比較的容易に行なうことができ、特に小型薄型化の必要な光ピックアップにおいては、構造上の制約から立ち上げミラーや対物レンズの調整が困難な場合が多いため、このような光ピックアップ等においては特に有効である。
【００２４】
以下に、本発明の実施の形態について、図を参照して説明する。
【００２５】
（実施の形態１）
図１は、本発明の実施の形態１による光ピックアップ２０の側面図である。図１に示すように、光ピックアップ２０は、レーザー光を出射するレーザー素子１と、レーザー光を収束して平行光に変換するコリメーターレンズ２と、平行光に変換されたレーザー光を光ディスク５に向けて反射する反射部材である立ち上げミラー３と、反射されたレーザー光を光ディスク５上にスポット集光させる焦点距離略２．０ｍｍの対物レンズ４と、を備えている。
【００２６】
６はコリメーターレンズ２から立ち上げミラー３までの距離、７はレーザー素子１からコリメーターレンズ２までの光学系の対物レンズ側合成焦点距離の位置、８はコリメーターレンズ２の中心軸、９は立ち上げミラー３における入射光と反射光とのなす角度、１０は対物レンズの中心軸をそれぞれ示している。
【００２７】
光ピックアップ２０においては、コリメーターレンズ２から立ち上げミラー３までの距離６は、対物レンズ側合成焦点距離と等しい略１２ｍｍとしている。立ち上げミラー３から対物レンズ４までの距離は略５ｍｍである。また、図１の破線は、対物レンズの中心軸１０に対する光のＦＦＰ中心軸の傾き調整を行った後の光路を示している。
【００２８】
光ピックアップ２０においては、レーザー素子１から出射された光はコリメーターレンズ２を通って平行光となり、立ち上げミラー３により光ディスク５のある上方側に垂直に反射され対物レンズ４に入射し、集光されて光ディスク５のデータ記録面上に微小な光スポットを当てる。光ピックアップ２０では、光学特性の向上や調整量の低減を考慮して、コリメーターレンズ２から立ち上げミラー３までの距離６を、対物レンズ側合成焦点距離と等しい１２ｍｍとしている。
【００２９】
焦点の物理的特性として、レンズに入射した平行光は、レンズ中心軸上の１点（焦点）に集光するので、レーザー素子１から出射された光のＦＦＰ中心軸がコリメーターレンズ２の中心軸８に対する位置ずれを有していても、対物レンズ側合成焦点距離の位置である対物レンズ側合成焦点位置７においては、コリメーターレンズ２の中心軸８上に集光される。
【００３０】
このことは、組み立て誤差により、立ち上げミラー３がコリメーターレンズ２の中心軸８となす角度が４５°からずれていても、レーザー素子１から出射された光のＦＦＰ中心軸を対物レンズ４の中心軸１０と一致させるようなレーザー素子１のＸＹ位置（レーザー光の出射方向と垂直な方向の位置）が存在することを意味している。
【００３１】
従って、対物レンズ側合成焦点位置７に立ち上げミラー３を配置することにより、コリメーターレンズ２の中心軸８に対するレーザー素子１のＸＹ位置を適切な値に調整すれば、対物レンズの中心軸１０に対する光のＦＦＰ中心軸の傾きと位置ずれの両方とも調整できることになる。
【００３２】
次に、光ピックアップ２０において、立ち上げミラー３の傾き誤差による対物レンズ４の中心軸１０に対する光のＦＦＰ中心軸の傾き量と、その傾きを調整するために必要なレーザー素子１のＸＹ位置調整量、及び、レーザー素子１のＸＹ位置調整後に残る対物レンズ４の中心軸１０に対する光のＦＦＰ中心軸の位置ずれ量との関係の計算結果について説明する。
【００３３】
立ち上げミラー３の傾き誤差量は、通常の取付け誤差として妥当な数値である０．３°とした。このときの対物レンズ４の中心軸１０に対する光のＦＦＰ中心軸の傾き量は、立ち上げミラー３の入射角誤差と同じ反射角誤差が付加されるので、立ち上げミラー３の傾き誤差量の２倍である０．６°となる。
【００３４】
（表１）は、これらの計算結果をまとめたものである。
【００３５】
【表１】
0004595818.tif 000002
【００３６】
（表１）から明らかなように、立ち上げミラー３の傾き誤差による、対物レンズ４の中心軸１０に対する光のＦＦＰ中心軸の傾きがあっても、レーザー素子１のＸＹ位置調整により対物レンズ４の中心軸１０に対する光のＦＦＰ中心軸の位置ずれが生じないことが判る。従って、光ピックアップ２０の場合、レーザー素子１のＸ軸回りやＹ軸回りの回転調整（あおり）や、対物レンズ４のＸＹ位置調整等の必要はない。
【００３７】
次に、光ピックアップ２０において、光学系の対物レンズ側合成焦点距離に対する、コリメーターレンズ２から立ち上げミラー３までの距離６を比率で表し、コリメーターレンズ２から立ち上げミラー３までの距離６を変化させたときの、対物レンズ４の中心軸１０に対する光のＦＦＰ中心軸の位置ずれを計算した結果を図３に示す。コリメーターレンズ２から立ち上げミラー３までの距離６が、対物レンズ側合成焦点距離に一致する場合が比率１．０である。
【００３８】
図３から明らかなように、対物レンズ側合成焦点位置７に対する、コリメーターレンズ２から立ち上げミラー３までの距離６のずれの増加と共に、対物レンズ４の中心軸１０に対する光のＦＦＰ中心軸の位置ずれ量が線形に増加することが判る。また、対物レンズ４の中心軸１０に対する光のＦＦＰ中心軸の位置ずれ残りが存在すると、信号検出素子でのＦＦＰ中心軸の位置ずれにつながる。
【００３９】
このとき、例えば２分割や４分割配置された信号検出素子部の光電変換素子（ＰＤ）のパターン列の中心に光が入射するように設計することにより、各ＰＤ列に入射する光量バランスずれの検出や制御を行う検出方法等が一般に採用されているが、この信号検出素子に入射する光の位置ずれが存在すると検出精度の劣化につながる。
【００４０】
図４に、対物レンズ４の中心軸１０に対する光のＦＦＰ中心軸の位置ずれと、上述のような４分割ＰＤパターンを有する検出系を設定した場合のＰＤバランスずれの関係について計算した結果を示す。ここで対物レンズ４上の位置ずれ量とＰＤパターン上のスポット位置ずれ量は線形関係にあり、ＰＤパターン上のスポット位置ずれ量は、対物レンズ４上の位置ずれ量の略４％相当とする検出系の設計とした。
【００４１】
一般的に許容されるＰＤバランスずれを５％程度であるとすると、図４から、許容しうる対物レンズ４の中心軸１０に対する光のＦＦＰ中心軸の位置ずれ量は４０μｍ以内とする必要があることが判る。従って、図３の結果と併せると、対物レンズ側合成焦点位置７に対するコリメーターレンズ２から立ち上げミラー３までの距離６は、対物レンズ側合成焦点距離に対する比率として０.７〜１.３の範囲とする必要があることが判る。
【００４２】
（実施の形態２）
図２は、本発明の実施の形態２による光ピックアップ２００の側面図である。図２に示すように、光ピックアップ２００は、波長の異なるレーザー光を各々出射する２つのレーザー素子１０１、１０２と、波長の異なるレーザー光を各々収束して平行光に変換する１つのコリメーターレンズ１０４と、各々平行光に変換された波長の異なるレーザー光を光ディスク１０９に向けて各々反射する反射部材である２つの立ち上げミラー１０５、１０６と、各々反射された波長の異なるレーザー光を光ディスク１０９上に各々スポット集光させる２つの対物レンズ１０７、１０８とを備えている。レーザー素子１０１のレーザー光の波長は略６６０ｎｍ、レーザー素子１０２のレーザー光の波長は略４０５ｎｍである。
【００４３】
１０３は波長選択性ビームスプリッター、１０５は波長略６６０ｎｍのレーザー光の立ち上げミラー、１０６は波長略４０５ｎｍのレーザー光の立ち上げミラー、１０７は波長略６６０ｎｍのレーザー光の対物レンズ、１０８は波長略４０５ｎｍのレーザー光の対物レンズ、１１０はコリメーターレンズ１０４の中心軸、１１１は波長略６６０ｎｍの光学系におけるコリメーターレンズ１０４から立ち上げミラー１０５までの距離、１１２は波長略４０５ｎｍの光学系におけるコリメーターレンズ１０４から立ち上げミラー１０６までの距離、１１３は波長略６６０ｎｍの光学系における対物レンズ側合成焦点位置、１１４は波長略４０５ｎｍの光学系における対物レンズ側合成焦点位置、１１５は立ち上げミラー１０５における入射光と反射光とのなす角度、１１６は立ち上げミラー１０６における入射光と反射光とのなす角度、１１７は対物レンズ１０７の中心軸、１１８は対物レンズ１０８の中心軸である。
【００４４】
コリメーターレンズ１０４から各々の立ち上げミラーまでの距離１１１、１１２は、各々の対物レンズ側合成焦点位置（１１３、１１４）と同じ９ｍｍ、１２ｍｍとした。また、対物レンズ１０７、１０８の焦点距離は略２ｍｍであり、立ち上げミラー１０５、１０６と対物レンズ１０７、１０８との距離はいずれも略５ｍｍとしている。図２の破線はレーザー光を示し、各々の立ち上げミラー１０５、１０６に傾き誤差があった場合の、対物レンズの中心軸１１７、１１８に対する光のＦＦＰ中心軸の傾き調整を行った後の光路を示している。
【００４５】
波長選択性ビームスプリッター１０３は２つの三角プリズムの斜面同士を張り合わせた直方体であり、張り合わせ面には光学薄膜が形成されている。この光学薄膜は、波長６６０ｎｍ近傍の光は略全透過させ、波長４０５ｎｍ近傍の光は略全反射させる光学特性を有している。従って、レーザー素子１０１から出射された光は、波長選択性ビームスプリッター１０３をそのまま透過し、レーザー素子１０２から出射された光は、波長選択性ビームスプリッター１０３で反射される。
【００４６】
次に、各々の光はコリメーターレンズ１０４に入射する。各々の光は、コリメーターレンズ１０４を通って収束されて平行光となり、立ち上げミラー１０５に入射する。立ち上げミラー１０５の入射面には、波長６６０ｎｍ近傍の光を略全反射する光学薄膜が形成されていて、波長６６０ｎｍ近傍の光を光ディスク１０９のある上方側に垂直に反射する。反射された光は、対物レンズ１０７に入射し、集光されて光ディスク１０９のデータ記録面上に微小な光スポットを形成する。
【００４７】
立ち上げミラー１０５は、レーザー素子１０１からコリメーターレンズ１０４までの光学系における対物レンズ側合成焦点位置１１３に配置されている。一方、レーザー素子１０２から出射された光も、コリメーターレンズ１０４を通過後、立ち上げミラー１０５に入射する。
【００４８】
立ち上げミラー１０５の入射面に形成されている光学薄膜は、波長６６０ｎｍ近傍の光は略全反射し、波長４０５ｎｍ近傍の光は略全透過するような光学特性を有していて、立ち上げミラー１０５に入射した波長略４０５ｎｍの光は、立ち上げミラー１０５を透過し、立ち上げミラー１０６に入射する。
【００４９】
立ち上げミラー１０６の入射面に形成されている光学薄膜は、波長４０５ｎｍ近傍の光を略全反射するような光学特性を有していて、波長略４０５ｎｍの光は、光ディスク１０９のある上方側に垂直に反射され、対物レンズ１０８に入射し、集光されて光ディスク１０９のデータ記録面上に微小な光スポットを形成する。
【００５０】
立ち上げミラー１０６は、レーザー素子１０２からコリメーターレンズ１０４までの光学系における対物レンズ側合成焦点位置１１４に配置されている。
【００５１】
実施の形態１と同様に、光のＦＦＰ中心軸がコリメーターレンズ１０４の中心軸１１０に対してＸＹ位置ずれを持っていても、対物レンズ側合成焦点位置１１３においてはコリメーターレンズ１０４の中心軸１１０上に集光される。よって、組み立て誤差によって立ち上げミラー１０５の傾き誤差があっても、光のＦＦＰ中心軸を対物レンズ１０７の中心軸１１７と一致させるような、レーザー素子１０１のＸＹ位置が存在する。
【００５２】
従って、対物レンズ側合成焦点位置１１３に立ち上げミラー１０５を配置することにより、コリメーターレンズ１０４の中心軸１１０に対するレーザー素子１０１のＸＹ位置を適切な値に調整すれば、対物レンズの中心軸１１７に対する光のＦＦＰ中心軸の傾きと位置ずれの両方を調整することができる。
【００５３】
同様に、レーザー素子１０２から出射される光のＦＦＰ中心軸がコリメーターレンズ１０４の中心軸１１０に対してＸＹ位置ずれを持っていても、対物レンズ側合成焦点位置１１４においては、コリメーターレンズ１０４の中心軸１１０上に集光され、組み立て誤差により立ち上げミラー１０６の傾き誤差があっても、光のＦＦＰ中心軸を対物レンズ１０８の中心軸１１８と一致させるようなレーザー素子１０２のＸＹ位置も存在する。
【００５４】
従って、対物レンズ側合成焦点位置１１４に立ち上げミラー１０６を配置することにより、コリメーターレンズ１０４の中心軸１１０に対するレーザー素子１０２のＸＹ位置を適切な値に調整すれば、対物レンズの中心軸１１８に対する光のＦＦＰ中心軸の傾きと位置ずれの両方を調整することができる。
【００５５】
特に、実施の形態２においては、各々のレーザー素子１０１、１０２を独立させて位置調整可能であるため、各々の立ち上げミラー１０５、１０６の傾き誤差による各々の対物レンズの中心軸１１７、１１８に対するレーザー素子１０１、１０２から出射された光のＦＦＰ中心軸の傾きと位置ずれとを、各々独立に最適化することが可能である。
【００５６】
次に、実施の形態２のように２波長の光学系を有し、実施の形態２とは異なり、各々の対物レンズ側合成焦点位置が互いに近い場合について計算してみる。実施の形態２の２つの立ち上げミラーの間隔を５ｍｍとし、対物レンズ側合成焦点位置と対物レンズ中心軸に対する光のＦＦＰ中心軸の位置ずれの関係について計算した結果を図５に示す。図５から明らかなように、対物レンズ側合成焦点位置が各々の立ち上げミラーの中央にくるようにすることにより、対物レンズ中心軸に対する光のＦＦＰ中心軸の位置ずれを最もバランス良く低減させることができることが判る。
【００５７】
以上説明したように、実施の形態１の光ピックアップ２０のように、１つの波長だけのレーザー素子１を有する光学系においては、立ち上げミラー３を対物レンズ側合成焦点位置７に配置することにより、対物レンズの中心軸１０に対する光のＦＦＰ中心軸の位置ずれが低減できる。
【００５８】
また、実施の形態２のような、２波長のレーザー素子１０１、１０２と、立ち上げミラー１０５、１０６と、対物レンズ１０７、１０８とを有する複合光学系においては、各々の立ち上げミラー１０５、１０６の中央に対物レンズ側合成焦点位置がくるように各々の立ち上げミラー１０５、１０６を配置することにより、各々の対物レンズの中心軸１１７、１１８に対する光のＦＦＰ中心軸の位置ずれをバランスよく低減することが可能となる。
【００５９】
なお、本実施の形態の光ピックアップは、ＤＶＤやＢＤの光学系についてのものであるが、立ち上げミラーの傾き誤差による対物レンズ中心軸に対する光のＦＦＰ中心軸の位置ずれによって記録再生特性への影響が考えられる光ピックアップであれば、他のものにも適用可能である。
【００６０】
更に、本実施の形態の光ピックアップは、レーザー素子とコリメーターレンズと立ち上げミラーと対物レンズのみによって構成される光学系としたが、例えば、光の偏向状態を変えるための波長板や光のビーム形状を変えるためのビームシェーパーのような光学部品がコリメーターレンズの前後に複数配置されているような光学系であっても本発明が適用可能である。
【００６１】
また、本発明の実施の形態において、反射部材としては立ち上げミラーを用いる構成を示したが、反射部材は、到来したレーザー光を反射する機能を有するものであればよい。
【産業上の利用可能性】
【００６２】
以上のように、本発明は、ノート型パソコンや複合光学系を有する光ディスク装置等の光ピックアップ及びその調整方法として有用である。
【図面の簡単な説明】
【００６３】
【図１】本発明の実施の形態１による光ピックアップの側面図
【図２】本発明の実施の形態２による光ピックアップの側面図
【図３】実施の形態１の光ピックアップの立ち上げミラーの位置と対物レンズ上の光軸位置ずれとの関係図
【図４】光軸位置ずれとＰＤバランスずれの関係図
【図５】実施の形態２の光ピックアップの立ち上げミラーの位置と対物レンズ上の光軸位置ずれとの関係図
【図６】従来の光ピックアップの側面図
【符号の説明】
【００６４】
１，１１，１０１，１０２    レーザー素子
２，１２，１０４    コリメーターレンズ
３，１３，１０５，１０６    立ち上げミラー
４，１４，１０７，１０８    対物レンズ
５，１５，１０９    光ディスク
６，１６,１１１，１１２    コリメーターレンズから立ち上げミラーまでの距離
７，１７，１１３，１１４    対物レンズ側合成焦点位置
８，１１０    コリメーターレンズの中心軸
９，１１５，１１６    立ち上げミラーにおける入射光と反射光とのなす角度
１０，１１７，１１８    対物レンズの中心軸
１０３    波長選択性ビームスプリッター
【図１】
0004595818.tif 000003
【図２】
0004595818.tif 000004
【図３】
0004595818.tif 000005
【図４】
0004595818.tif 000006
【図５】
0004595818.tif 000007
【図６】
0004595818.tif 000008